(57)【特許請求の範囲】
【請求項１】
タンクボックスと、このタンクボックスの開口部に渡してある上部板と、上記タンクボックスの上流側端部に配置してある補給玉の補給経路とを具備しており、
上記タンクボックスは、下流側の研磨機に向かって下り勾配であってかつ上側が開口された集合樋上に配置されていると共に、その内底面が上記集合樋に沿って下り勾配に形成されており、上流側及び下流側の各側壁にパチンコ玉を上記集合樋上に排出するための排出口をそれぞれ開けてあり、
上記上部板は、上記タンクボックスの下流側で回収・オーバーフロー経路に通じており、上記タンクボックス内にこのタンクボックスの上流側から下流側へ向けて上り勾配に渡されており、上記タンクボックスの下流側の端部に配置され、かつ上記タンクボックスの上流側へ流れるパチンコ玉を分配するための分配部を設けてあり、
上記補給経路は、下端部が上記タンクボックスの上流側内部に伸びており、補給のためのパチンコ玉がタンクボックス内へ排出可能であり、
上記タンクボックスの下流側の排出口は貯留したパチンコ玉を上記集合樋上に排出可能であり、上流側の排出口は上記上部板の端部に連なりかつ上記上部板上を流れるパチンコ玉を上記集合樋上に排出可能であり、
上記タンクボックスの上記開口部であって、上記上部板の幅方向の両側は空間となっており、両空間から上記上部板上を流れる上記回収・オーバーフロー経路から誘導されるパチンコ玉が上記タンクボックス内へ落下可能であり、
上記補給経路の下端部は、上記空間内に配置されており、
上記分配部は、上記タンクボックスの上流側へ流れる上記上部板上のパチンコ玉を上記空間側へ分配可能である
ことを特徴とするパチンコ玉の貯留タンク装置。
【発明の詳細な説明】
【０００１】
【発明の属する技術分野】
この発明は、他の遊技島から補給されたり、また回収されたパチンコ玉や自分の遊技島における上部玉タンクからあふれたパチンコ玉を一時的に貯留するための貯留タンク装置に関する。
【０００２】
【従来の技術】
従来、パチンコホールにおいて、パチンコ機とその周辺機器とを単位とするいわゆる「遊技島」が所定間隔を置いて設けられ、遊技島の基台内部にはパチンコ玉を一時的に貯留するための貯留タンクが配置されている例がある。
貯留タンクの第１例として、研磨機の上部に設けられている上部玉タンクから伸びている補給・回収・オーバーフロー経路をタンクボックスに接続しているものである。補給・回収・オーバーフロー経路を通過したパチンコ玉は、タンクボックス内の上端開口に傾斜して渡されている格子状の案内板を介してタンクボックスに誘導され、案内板の複数の孔からタンクボックス内に落ちこぼれて貯留される。貯留されたパチンコ玉は、補給時にタンクボックスの側壁に開けられている排出口から徐々に集合樋上に落下する。
貯留タンクの第２の例として、研磨機の上部に設けられている上部玉タンクから伸びている補給経路、回収経路及びオーバーフロー経路の３本がタンクボックスに接続されている。補給経路の下端部がにタンクボックス内に排出口と離れた側に垂直に伸びており、オーバーフロー経路の下端部がタンクボックス内に排出口付近側に垂直に伸びており、さらに補給経路とオーバーフロー経路との中間に位置している回収経路の下端部がタンクボックス内に垂直に伸びているものである。
【０００３】
【発明が解決しようとする課題】
第１の従来例によると、補給時にタンクボックス内の前方すなわち排出口付近に位置しているパチンコ玉が供給され、後方のパチンコ玉は滞留して、前方側のスペースを貯留玉の空間として有効に使用するには改善の必要があった。
第２の従来例によると、タンクボックス内に向けて垂直に伸びる３本の補給経路、回収経路及びオーバーフロー経路の下端部からパチンコ玉がタンクボックス内に排出されるので、貯留玉は各経路の排出口の高さまでしか貯留されず、それより上の空間は空のスペースとなってしまう。その結果、貯留タンク内の容量はあまり有効に使われない問題があった。
この発明の目的は、タンクボックス内の空間を有効に利用して、可能な限り多くのパチンコ玉を貯留できるようにすることにある。
【０００４】
【課題を解決するための手段】
この発明に係るパチンコ玉の貯留タンク装置は、タンクボックスと、このタンクボックスの開口部に渡してある上部板と、上記タンクボックスの上流側端部に配置してある補給玉の補給経路とを具備している。上記タンクボックスは、下流側の研磨機に向かって下り勾配であってかつ上側が開口された集合樋上に配置されていると共に、その内底面が上記集合樋に沿って下り勾配に形成されており、上流側及び下流側の各側壁にパチンコ玉を上記集合樋上に排出するための排出口をそれぞれ開けてある。上記上部板は、上記タンクボックスの下流側で回収・オーバーフロー経路に通じており、上記タンクボックス内にこのタンクボックスの上流側から下流側へ向けて上り勾配に渡されており、上記タンクボックスの下流側の端部に配置され、かつ上記タンクボックスの上流側へ流れるパチンコ玉を分配するための分配部を設けてある。上記補給経路は、下端部が上記タンクボックスの上流側内部に伸びており、補給のためのパチンコ玉がタンクボックス内へ排出される。上記タンクボックスの下流側の排出口は貯留したパチンコ玉を上記集合樋上に排出可能であり、上流側の排出口は上記上部板の端部に連なりかつ上記上部板上を流れるパチンコ玉を上記集合樋上に排出可能である。上記タンクボックスの上記開口部であって、上記上部板の幅方向の両側は空間となっており、両空間から上記上部板上を流れる上記回収・オーバーフロー経路から誘導されるパチンコ玉が上記タンクボックス内へ落下可能である。上記補給経路の下端部は、上記空間内に配置されている。上記分配部は、上記タンクボックスの上流側へ流れる上記上部板上のパチンコ玉を上記空間側へ分配可能である。
【０００５】
【発明の実施の形態】
まず、この発明に係るパチンコ玉の貯留タンク装置を説明する前に、本装置を使用している図１及び図２に示すパチンコ玉の補給・回収装置について説明する。この補給・回収装置は、メインタンク１、遊技島群２、パチンコ玉の補給ライン３及び回収ライン４と、パチンコ玉の回収タンク５及び貯留タンク６とを具備している。
【０００６】
メインタンク１と遊技島群２とは、パチンコホール（パチンコ遊技場）内に互いに隣接して設けられている。メインタンク１は、遊技島群２へ補給するためのパチンコ玉を貯留しており、また遊技島群から回収したパチンコ玉を受け入れるものである。
遊技島群２は、所定間隔を置いて配置してある複数の遊技島７からなり、図１の例では左側から右側に向けて順次配置してある第１島７Ａ１、第２島７Ａ２、第３島７Ａ３及び第４島７Ａ４の各遊技島から構成されている。もちろん、遊技島７の数はこの例に限られない。
なお、符号「７」及び「７Ａ１〜７Ａ４」に関して、説明上、遊技島を具体的に特定する場合には符号「７Ａ１〜７Ａ４」を使用し、特定しない場合には「７」を使用する。
全遊技島７は１本の補給ライン３により接続されている。補給ライン３について、具体的には、隣接している各遊技島７間は、遊技島の中央上部に設けられている上部玉タンク１６を介して補給ライン３Ａ１，３Ａ２，３Ａ３によってそれぞれ接続されている。図１左端に位置している遊技島７Ａ１に接続されている補給ライン３Ａ１は最終的にメインタンク１に通じている。補給ライン３Ａ１は第１島７Ａ１の上部玉タンク１６Ａ１と、第２島７Ａ２の上部玉タンク１６Ａ２との間を接続し、そして補給ライン３Ａ２は第２島７Ａ２の上部玉タンク１６Ａ２と、第３島７Ａ３の上部玉タンク１６Ａ３との間を接続し、また補給ライン３Ａ３は、第３島７Ａ３の上部玉タンク１６Ａ３と、第４島７Ａ４の上部玉タンク１６Ａ４との間を接続している。
また各遊技島７から回収されるパチンコ玉は回収ライン４によって、メインタンク１に回収可能である。回収ライン４は、図１の例では、回収のパチンコ玉を第４島７Ａ４から第３島７Ａ３へ回収するための回収ライン４Ａ１と、第３島７Ａ３から第２島７Ａ２及び第１島７Ａ１を貫通して直接メインタンク１へ回収するための回収ライン４Ａ２と、第２島７Ａ２から第１島７Ａ１を貫通して直接メインタンクへ回収するための回収ライン４Ａ３と、第１島７Ａ１からメインタンクへ回収するための回収ライン４Ａ４とからなる。回収ライン４Ａ１は第４島７Ａ４の上部玉タンク１６Ａ４と、第３島７Ａ３の上部玉タンク１６Ａ３との間を接続し、そして回収ライン４Ａ２は第３島７Ａ３の上部玉タンク１６Ａ３から第２島７Ａ２の上部玉タンク１６Ａ２及び第１島７Ａ１の上部玉タンク１６Ａ１を貫通してメインタンク１へ案内され、また回収ライン４Ａ３は、第２島７Ａ２の上部玉タンク１６Ａ２から第１島７Ａ１の上部玉タンク１６Ａ１を貫通してメインタンク１へ案内されている。回収ライン４Ａ４は、第１島７Ａ１の上部玉タンク１６Ａ１からメインタンク１へ伸びている。
遊技島群２は、回収タンク５と貯留タンク６の双方を備えている遊技島７（図１の例では第２島７Ａ２と第４島７Ａ４）と、貯留タンクのみを備えている遊技島（図示の例では第３島７Ａ３）と、貯留タンクと回収タンクの双方を備えていない遊技島（図示の例では第１島７Ａ１）とを有している。第２島７Ａ２と第４島７Ａ４とにはパチンコ玉計測機９が接続されている。
【０００７】
ここで、各遊技島７の具体的構成を説明する。
まず、第２島７Ａ２について説明する。
図３に示す第２島７Ａ２において、基台１０上には支持フレームを介して互いに背中合わせに対向しているパチンコ機１１を取り付けている。基台１０内には図３右側に回収タンク５を同図左側に貯留タンク６とを研磨機８を挾んで配置してある。
回収タンク５の内底面は遊技島１の長手方向（図３左右方向）の端部から中央に向かって傾斜面となっている。回収タンク５内には遊技島７Ａ２の中央に向けて傾斜状態に設けられているＶ字状の集合樋１２が配置されており、この集合樋は遊技島７Ａ２の一端部に設けてあるパチンコ玉計数機９からのパチンコ玉を回収タンク５に案内可能である。パチンコ機１１から排出されたパチンコ玉及びパチンコ玉計数機９からのパチンコ玉は回収タンク５に貯留されて、この回収タンク内のパチンコ玉はミニリフト１３により徐々に遊技島７Ａ２の中央の集積部１４に集まる。またこの集積部を挾んで回収タンク５とは反対側の貯留タンク６が配置されている基台１０内にも集積部に向けて下り勾配の集合樋１５を設けてあり、パチンコ機１１から排出されたパチンコ玉が集合樋１５を流下して集積部へ集まる。集められたパチンコ玉は、集積部１４から研磨機８の揚送手段によって研磨されながら上方に揚送され、研磨機の上部に設けられている上部玉タンク１６Ａ２に搬送される。
上部玉タンク１６Ａ２は、図３乃至図５に示すように一側（図４右側）にスモールタンク１７を、他側にマジックタンクを備えており、このマジックタンクは第１マジックタンク１８と第２マジックタンク１９とを有している。スモールタンク１７は、底部１７ａが中央から左右両側に下り勾配となっており、先端側の開口部１７ｂが補給樋２０，２０と接続されている。上部玉タンク１６Ａ２内上部において、スモールタンク１７の上部一端に研磨機８の排出口から研磨されたパチンコ玉が分離タンク３０を経て流入する流入口１７ｃを設けてある。分離タンク３０は、研磨材とパチンコ玉とを分別するためのものである。上部玉タンク１６Ａ２内の上部には、流入口１７ｃから入ったパチンコ玉を案内するための案内部２１ａ，２１ｂ，２１ｃ，２１ｄを設けてある。第１マジックタンク１８と第２マジックタンク１９とは仕切り板２２ａを挾んで隣接し、スモールタンク１７と第２マジックタンク１９とは仕切り板２２ｂを挾んで隣接している。またスモールタンク１７と第１，第２マジックタンク１８，１９の上部とは仕切り板を兼用している案内部２１ｄと仕切り板２２ｃにより仕切られている。また上部玉タンク１６Ａ２の前方（図４紙面側）の側壁には、補給ライン用の受取口２３ａ、回収ラインの開口２４ｅ、回収ラインの開口２４ｃ、回収ライン用の渡し口２４ａをそれぞれ開けてある。また後方（図４紙面に垂直方向側）の側壁には、点線で示すように回収ライン用の受取口２４ｄ、回収ラインの受取口２４ｂ、補給ライン用の渡し口２３ｂをそれぞれ開けてある。
第１マジックタンク１８は、隣接する第１島７Ａ１からの補給ライン３Ａ１を通じて誘導されてくるパチンコ玉を受入れるための空間である。このため第１マジックタンク１８の側壁に開けてある受取り口２３ａには補給ライン３Ａ１が接続されている。またスモールタンク１７において、パチンコ玉を隣接する第３島７Ａ３へ補給するための補給ライン３Ａ３の一端が渡し口２３ｂに接続されている。
またスモールタンク１７において、回収されたパチンコ玉を隣接する遊技島へ渡すための回収ライン４Ａ３の一端が渡し口２４ａに接続されている。この例では、回収ライン４Ａ３の他端はメインタンク１に直接接続され、第１島７Ａ１を通過している。第２マジックタンク１９は、本来隣接する第３島７Ａ３からの回収ラインを通じて回収されてくるパチンコ玉を受入れるための空間として機能するべきものであるが、第２島７Ａ２自体に回収タンク５を持ち、遊技島内に不足していた場合には、この回収タンクのパチンコ玉を利用するために、開口２４ｃと回収ラインの受取口２４ｂには回収ライン４が貫通している。
なお、回収ライン用の受取口２４ｄ及び開口２４ｅは、本例では使用する必要がないので、プレート（図示せず。）などで閉じられている。
研磨されたパチンコ玉は上部玉タンク１６Ａ２の流入口１７ｃから案内部２１ａ〜２１ｄによって第１，第２マジックタンク１８，１９の上部へ導かれ折り返されてスモールタンク１７へ落下し、底部１７ａから補給樋２０を流れ、各パチンコ機１１毎に設けられた補給シュート（図示せず。）を経由して、それぞれのパチンコ機の景品玉タンクへと送られる。パチンコ玉は、上部玉タンク１６Ａ２から優先的に補給樋２０に流れるようになっている。そしてパチンコ玉が補給樋２０に十分補給され、パチンコ玉が上部玉タンク１６Ａ２から溢れたときに、渡し口２３ｂから補給ライン３Ａ３へ流れ、この流れが制御手段により制御されると、渡し口２４ａから回収ライン４Ａ３に流れ込む。もし、回収ライン４Ａ３による回収が不可能となった場合には、パチンコ玉は開口１７ｄからオーバーフロー管２５へ流れて、最終的には回収タンク５へ回収される。
オーバーフロー管２５は、図４及び図５に示すようにスモールタンク１７の側部に垂直に取付けられており、その下部はスモールタンクの底部１７ａの下方に形成されているオーバーフロータンク２６に連絡口２５ａを介して連なっている。オーバーフロー管２５は図４左右両側壁に開口２６ａ，２６ｂが開けられており、一方の開口２６ｂがジャンクションボックス２９と連通し、このジャンクションボックスには回収タンク５に通じている回収樋２７（図３）の一端が接続されている。他方の開口２６ａはプレート（図示せず）などで閉じられている。
また第２島７Ａ２内でパチンコ玉の供給が不足した場合には、第１島７Ａ１から補給ライン３Ａ１を通じて上部玉タンク１６Ａ２の受取口２３ａから第１マジックタンク１８へ補給されて、補給経路２８を介して貯留タンク６へ補給される（図３）。
補給経路２８は、図３及び図４に示すように補給管２８ａ、補給樋２８ｂ及び補給ホース２８ｃからなる。補給管２８ａは、第１マジックタンク１８の底部から下方に伸びており、補給管の下端はジャンクションボックス２９に連通している。補給樋２８ｂの一端はジャンクションボックス２９に接続され、その他端は補給ホース２８ｃの上端部に接続され、この補給ホースの下端は貯留タンク６の上流側内部へ垂直に伸びている。
ジャンクションボックス２９内は、図４に示すように仕切り板２９ｃにより左右に第１連絡室２９ａと第２連絡室２９ｂとに仕切られている。第１連絡室２９ａの側壁には補給管２８ａの先端の連絡口２８ａ１が接続されている。補給管２８ａの先端は第１連絡室２９ａの側壁に向けてフック状に屈曲しているため、補給管を落下する補給のパチンコ玉は、先端部側でほぼ水平にその流れが変更されて連絡口２８ａ１から第１連絡室内へ流入する。第１連絡室２９ａ内へ流入したパチンコ玉は、図４左側の出口２９ｄから補給樋２８ｂへ流れる。また第２連絡室２９ｂは、回収樋２７と開口２６ｂを介して連通している。このため、オーバーフローのパチンコ玉は、オーバーフロータンク２６から開口２６ｂを経てジャンクションボックス２９へ流入して、回収樋２７へ流出する。
貯留タンク６Ａ２は、図６及び図７に示すように本体を構成するタンクボックス３１の底面が、底部下方を通過する図６右方向に下り勾配の集合樋１５に沿って傾斜面となっている。タンクボックス３１の一端（図６右端）側壁下部に貯留するパチンコ玉Ｐを集合樋１５へ排出する排出口３１ａを設けてあり、この排出口は開閉弁（図示せず。）で制御される。またタンクボックス３１内の上流側（図６左側）に補給ホース２８ｃの下端部が伸びている。補給ホース２８ｃの下端部には、内部を通過する補給のパチンコ玉をタンクボックス３１へ排出するための排出口２８ｃ１を開けてある。補給ホース２８ｃの排出口２８ｃ１からパチンコ玉はタンクボックス３１内の傾斜する内底面を転がって排出口３１ａからタンクボックス外へこぼれて、集合樋１５へ落下して、集合樋を流れるパチンコ玉と合流して、集積部１４へ集められて、研磨機８へ移動する。
【０００８】
第４島７Ａ４について図８及び図９に基づいて説明する。
第４島７Ａ４の構成は第２島７Ａ２のそれと実質的に共通するので、相違する構成のみ説明し、共通するものについての説明を省略し、両者の符号を一致させて対応関係を明確にしている。
図９に示す上部玉タンク１６Ａ４において、渡し口２３ｂ、受取口２４ｂ、開口２４ｃ，２４ｅ及び受取口２４ｄはすべて閉じられている。これは、渡し口２３ｂ及び受取口２４ｂに関しては、図２に示すように第４島の右隣には遊技島が存在しないからであり、開口２４ｃ，２４ｅ及び受取口２４ｄについても同様の理由である。
【０００９】
第３島７Ａ３について図１０乃至図１８を参照して説明する。
第３島７Ａ３の構成は、回収タンク５を有していない点を除いて第２島７Ａ２のそれと実質的に共通するので、相違する構成のみ説明し、共通するものは必要に応じて説明を省略し、また符号を一致させて対応関係を明確にしている。
第３島７Ａ３が第２島７Ａ２と相違する点は、第１に、第３島７Ａ３は、上部玉タンク１６Ａ３に隣接する第４島７Ａ４からの余り玉である回収玉を受取ること、第２に、第３島７Ａ３は、自身の島の余り玉であるオーバーフロー玉と、第４島７Ａ４から受取った回収のパチンコ玉とを上部玉タンク１６Ａ３の下方で合流させて貯留タンク６Ａ３へ流す構成である。
上部玉タンク１６Ａ３において、受取口２３ａには補給ライン３Ａ２、渡し口２４ａに回収ライン４Ａ２、渡し口２３ｂに補給ライン３Ａ３、受取口２４ｂに回収ライン４Ａ１をそれぞれ接続している（図１，図２，図１１参照）。
また上部玉タンク１６Ａ３の第２マジックタンク１９は、貯留タンク６Ａ３に回収・オーバーフローホース３２により通じている。回収・オーバーフローホース３２は回収管３３にジャンクションボックス２９を介して接続されている。回収管３３は、上端部が第２マジックタンク１９に連通されており、下端部はフック状に屈曲して先端開口３３ａがジャンクションボックス２９の側壁に接続されている（図１４）。ジャンクションボックス２９の底部には連絡口２９ｅが開けられており、この連絡口に回収・オーバーフローホース３２の上端部が接続されている。ジャンクションボックス２９は、開口２６ｂを通じてオーバーフロータンク２６と連通している。
なお、開口２６ａは閉じられている。
図１３及び図１４に示すように、開口３３ａは開口２６ｂより下方に位置しかつ開口の向きが互いに交差している。このため、ジャンクションボックス２９における第２連絡室２９ｂ内ではオーバーフロー管２５を落下するパチンコ玉と回収管３３から落下するパチンコ玉とが合流する。合流時には、一方の開口２６ｂが他方の開口３３ａより上方に位置しているので、オーバーフロー管２５から落下するパチンコ玉の方が回収の玉より優先し、島内のパチンコ玉の渋滞防止を図っている。合流したパチンコ玉は、ジャンクションボックス２９の第２連絡室２９ｂから回収・オーバーフローホース３２を落下して貯留タンク６Ａ３へ流入する。
貯留タンク６Ａ３は、図１５乃至図１８に示すようにタンクボックス３１は上部板３４を設けている。タンクボックス３１内の上流側（図１５左側）に補給ホース２８ｃの下端部が、下流側には回収・オーバーフローホース３２からのパチンコ玉をタンクボックスへ案内する案内板３５が接続されている。
貯留タンク６Ａ３は、図１５乃至図１７に示すようにタンクボックス３１の底面が、底部下方を通過する図１５右方向に下り勾配の集合樋１５に沿って傾斜面となっている。タンクボックス３１の一端（図１５右端）側壁下部に貯留するパチンコ玉Ｐを集合樋１５へ排出する排出口３１ａを設けてあり、この排出口は開閉弁（図示せず。）で制御される。またタンクボックス３１内の上流側（図１５左側）に補給ホース２８ｃの下端部が伸び、その下端部には、内部を通過する補給のためのパチンコ玉をタンクボックス３１へ排出するための排出口２８ｃ１を開けてある。補給ホース２８ｃの排出口２８ｃ１からパチンコ玉はタンクボックス３１内の傾斜する内底面を転がって排出口３１ａからタンクボックス外へこぼれて、集合樋１５へ落下する。
上部板３４はタンクボックス３１内上部に図１５左右方向に渡されており、図左側に向けて下り勾配となっている。上部板３４の一端側（図１５右端側）上面の中央に分配部、図示の例では平面三角形の分配板３６を設けてあり、さらに端部が案内板３５と連結されている。上部板３４の他端はタンクボックス３１の側壁に開けている排出口３１ｂと連なっている。上部板３４の両側（図１６上下両側）に空間３７が開けれており、これらの空間からタンクボックス内にパチンコ玉が落ちこぼれるようになっている。タンクボックス３１内に伸びている補給ホース２８ｃの下端部は、一方の空間３７内に配置されている。
回収・オーバーフローホース３２のパチンコ玉は、案内板３５から上部板３４に至り、分配板３６に衝突するパチンコ玉の影響を受けて、流れる方向が分配板を中心として空間３７に分かれて、タンクボックス３１内に落下して排出口３１ａからタンクボックス外へ排出されて集合樋１５に流れる。パチンコ玉の排出量よりも入る量が多い場合には、上部板３４のレベルまで貯留されるので、上部板上を流れて、排出口３１ｂから集合樋１５上に落下する。また補給ホース２８ｃの排出口２８ｃ１からタンクボックス３１内に補給された補給玉であるパチンコ玉Ｐは、鎖線に示すようにタンクボックス上流側に盛上り状態Ｐ１に貯留され、下流側の上部空間に空いたスペースができるので、この空いたスペースに回収・オーバーフローホース３２からのパチンコ玉を分配板３６を介して貯留させる。このため、タンクボックス３１のスペースを有効に使用することができる。
【００１０】
第１島７Ａ１について図１９を参照して説明する。
第１島７Ａ１の構成は、回収タンク５及び貯留タンク６を有していない点を除いて第２島７Ａ２のそれと実質的に共通するので、相違点のみ説明し、共通点の説明を省略する。また符号を一致させて対応関係を明確にしている。
第１島７Ａ１では、補給のパチンコ玉はメインタンク１から直接に案内樋（図示せず。）によって基台１０内の集合樋１５へ供給されるために、第２島７Ａ２の補給管２８のような補給管は不要である。メインタンク１の出口１ａから案内樋を通じて補給されるパチンコ玉は合流部で集合樋１５を流れるパチンコ玉と合流する。また第１島７Ａ１では、隣接する他の遊技島７Ａ２〜７Ａ４から回収されるパチンコ玉を受取らないから、第２島７Ａ２の回収管３３のような回収管は不要である。このため、上部玉タンク１６Ａ１には、補給管、回収管及びジャンクションボックスを設けていない。
【００１１】
次に補給及び回収時のパチンコ玉の流れについて説明する。
補給時の玉の流れを図２０乃至図２３に基づいて説明する。
第１島７Ａ１への補給に関しては、図２０に示すようにメインタンク１の貯留玉は、研磨機８から上部玉タンク１６Ａ１へ補給される。
第２島７Ａ２への補給に関して図２１に基づいて説明する。
第１島７Ａ１の上部玉タンク１６Ａ１からの補給玉は、補給ライン３Ａ１（図１）を通じて第２島７Ａ２の上部玉タンク１６Ａ２へ流れ、ここから補給管２８ａを通ってジャンクションボックス２９を経由して貯留タンク６Ａ２（６）に貯留される。貯留玉は、第３島７Ａ３へ補給するために、研磨機８から上部玉タンク１６Ａ２を経て補給ライン３Ａ２へ流れる。
第３島７Ａ３への補給に関して図２２に基づいて説明する。
第２島７Ａ２から補給ライン３Ａ２を通じて上部玉タンク１６Ａ３へ補給される。もし、第３島７Ａ３で大量のパチンコ玉の補給が必要となった場合には、メインタンク１からの補給では、不十分であるときには、第２島７Ａ２の回収タンク５Ａ２の貯留玉が研磨機８及び上部玉タンク１６Ａ２を経て補給ライン３Ａ２を通じて補給される（図１，図２１）。
第４島７Ａ４の補給は、図２２及び図２３に示すように第３島７Ａ３の上部玉タンク１６Ａ３からの補給ライン３Ａ３により上部玉タンク１６Ａ４へ補給される。この島自体の補給は、回収タンク５に貯留されているパチンコ玉が利用される。
【００１２】
回収時の玉の流れを図２４乃至図２７を参照して説明する。
第４島７Ａ４の回収に関して説明する。
図２４に示すように集合樋１２，１５及び回収タンク５のパチンコ玉は、研磨機８から上部玉タンク１６Ａ４を経由して回収ライン４Ａ１から第３島７Ａ３へ回収される（図１）。もし、回収ライン４Ａ１への回収が不能である場合には上部玉タンク１６Ａ４からオーバーフロータンク２６を経てジャンクションボックス２９から回収タンク５へ再び流入し、その後研磨機へと循環され、第３島７Ａ３へ回収可能になるまで、待機する。
第３島７Ａ３の回収に関して説明する。
図２５に示すように第４島７Ａ４からの回収玉は、上部玉タンク１６Ａ３に入り、ここからジャンクションボックス２９を経由して貯留タンク６Ａ３から研磨機８，上部玉タンク１６Ａ３を経て回収ライン４Ａ２によって第１島７Ａ１のメインタンク１へ回収される（図１，図２６）。もし、回収ライン４Ａ２への回収が不能である場合には、上部玉タンク１６Ａ３の回収玉はオーバーフロータンク２６及びジャンクションボックス２９を経て貯留タンク１６Ａ３へ回収され、さらに集合樋１２，１５のアウト玉と共に再び研磨機へと循環され、回収時期を待つ。
第２島７Ａ２の回収に関して説明する。
図２７に示すように第２島７Ａ２の回収玉は、第３島７Ａ３から回収したもの含まれず、島自体のものすなわち回収タンク５Ａ２及び集合樋１２，１５の貯留玉及びアウト玉は研磨機８から上部玉タンク１６Ａ２から回収ライン４Ａ３によって第１島７Ａ１のメインタンク１へ回収される（図１，図２６）。回収ライン４Ａ３への回収が不能の場合には、オーバーフロータンク２６及びジャンクションボックス２９から貯留タンク６Ａ２を経て再び研磨機８へ移動して、回収時期を待つ。
第１島７Ａ１の回収に関しては、図２６に示すように集合樋１２，１５のアウト玉は、研磨機８から上部玉タンク１６Ａ１を経由して、回収ライン４Ａ４によりメインタンク１へ回収される（図１）。
【００１３】
【発明の効果】
この発明によれば、補給経路がタンクボックス内の上流側で上部板とタンクボックス内壁と間の空間内に配置されており、上記タンクボックスの上流側に上記上部板上を流れるパチンコ玉の排出口を設けてあるので、上流側にパチンコ玉が集中しにくく、補給経路からの補給玉がタンクボックス内上流側に山盛り状態に貯留されると、その下流側の上部空間に空いたスペースができ、このスペースに回収・オーバーフロー経路からのパチンコ玉を貯留可能であるので、タンクボックス内の空間を有効に理由でき、無駄なスペースを作らない。
上記の効果は、上部板にパチンコ玉の流れを空間に移行するような分配部を設けることにより一層高められる。
【図面の簡単な説明】
【図１】パチンコ玉の補給・回収装置を平面からみた構成図である。
【図２】パチンコ玉の補給・回収装置を側面からみた構成図である。
【図３】第２島を示す一部切欠正面図である。
【図４】第２島の上部玉タンクを示す一部切欠拡大正面図である。
【図５】第２島の上部玉タンクを示す一部切欠拡大正面図であって、補給管を省略している図である。
【図６】第２島の貯留タンクを示す一部切欠拡大正面図である。
【図７】第２島の貯留タンクを示す拡大平面図である。
【図８】第４島を示す一部切欠正面図である。
【図９】第４島の上部玉タンクを示す一部切欠拡大正面図である。
【図１０】第３島を示す一部切欠正面図である。
【図１１】第３島の上部玉タンクを示す一部切欠拡大正面図である。
【図１２】第３島の上部玉タンクを示す一部切欠拡大側面図であって、回収管を省略している図である。
【図１３】補給管，回収管及びジャンクションボックスの関係を示す一部切欠拡大正面図である。
【図１４】図１３Ａ−Ａ線断面図である。
【図１５】第３島の貯留タンクを示す一部切欠拡大正面図である。
【図１６】第３島の貯留タンクを示す拡大平面図である。
【図１７】第３島の貯留タンクを示す拡大側面図である。
【図１８】第３島の貯留タンクにおける上部板を示す拡大平面図である。
【図１９】第４島を示す一部切欠正面図である。
【図２０】第１島の補給時におけるパチンコ玉の流れを示すフロー図である。
【図２１】第２島の補給時におけるパチンコ玉の流れを示すフロー図である。
【図２２】第３島の補給時におけるパチンコ玉の流れを示すフロー図である。
【図２３】第４島の補給時におけるパチンコ玉の流れを示すフロー図である。
【図２４】第４島の回収時におけるパチンコ玉の流れを示すフロー図である。
【図２５】第３島の回収時におけるパチンコ玉の流れを示すフロー図である。
【図２６】第１島の回収時におけるパチンコ玉の流れを示すフロー図である。
【図２７】第２島の回収時におけるパチンコ玉の流れを示すフロー図である。
【符号の説明】
１        メインタンク
２        遊技島群
３        補給ライン
３Ａ１    補給ライン
３Ａ２    補給ライン
３Ａ３    補給ライン
４        回収ライン
４Ａ１    回収ライン
４Ａ２    回収ライン
４Ａ３    回収ライン
５        回収タンク
６        貯留タンク
６Ａ３    貯留タンク
７        遊技島
７Ａ３    第３島
８        研磨機
１１      パチンコ機
１５      集合樋
１６Ａ３  上部玉タンク
２０      補給樋
２５      オーバーフロー管
２６      オーバーフロータンク
２７      回収樋
２８      補給経路
２８ａ    補給管
２８ｂ    補給樋
２８ｃ    補給ホース
２８ｃ１  排出口
２９      ジャンクショクボックス
３１      タンクボックス
３１ａ    排出口
３１ｂ    排出口
３２      回収・オーバーフローホース
３３      回収管
３４      上部板
３６      分配板（分配部）
３７      空間
Ｐ        パチンコ玉
【図１】
0004223591.tif 000002
【図２】
0004223591.tif 000003
【図３】
0004223591.tif 000004
【図４】
0004223591.tif 000005
【図５】
0004223591.tif 000006
【図６】
0004223591.tif 000007
【図７】
0004223591.tif 000008
【図８】
0004223591.tif 000009
【図９】
0004223591.tif 000010
【図１０】
0004223591.tif 000011
【図１１】
0004223591.tif 000012
【図１２】
0004223591.tif 000013
【図１３】
0004223591.tif 000014
【図１４】
0004223591.tif 000015
【図１５】
0004223591.tif 000016
【図１６】
0004223591.tif 000017
【図１７】
0004223591.tif 000018
【図１８】
0004223591.tif 000019
【図１９】
0004223591.tif 000020
【図２０】
0004223591.tif 000021
【図２１】
0004223591.tif 000022
【図２２】
0004223591.tif 000023
【図２３】
0004223591.tif 000024
【図２４】
0004223591.tif 000025
【図２５】
0004223591.tif 000026
【図２６】
0004223591.tif 000027
【図２７】
0004223591.tif 000028